(57)【要約】      （修正有）【課題】薪ストーブ用の薪をストックする薪保持ラックを容易に組み立てるためのスケルトンキットを提供する。【解決手段】直方体のスケルトンを形成すべき個別の金属製の骨組材として、４本の主柱材２、左右の前後２本の主柱材の上端部同士、下端部同士及び中間部同士をそれぞれ前後方向に連結する上部縦連結材３、下部縦連結材４、中間部縦連結材５、４本の主柱材の前後における左右２本の上端部同士をそれぞれ連結する上部横連結材１１，１２、下部連結材と直交するように左右方向に設けられる下部棚構成材、中間部縦連結材と直交するように設けられる中間部棚構成材１３、さらにそれら骨組材同士を連結するための締結具として複数のボルト及びナットを含む。これらがスケルトンキットとして分解状態で包装容器に収納され、市場に供給される。【選択図】図１
0003163607.tif 000002
【実用新案登録請求の範囲】
【請求項１】
薪ストーブ用の薪をストックする薪保持ラックを組み立てるためのスケルトンキットであって、
直方体のスケルトンを形成すべき個別の金属製の骨組材として、
その直方体の４角の柱となる４本の主柱材と、
その４本の主柱材のうち左右における前後２本の上端部同士をそれぞれ前後方向に連結する２本の上部縦連結材と、
その４本の主柱材のうち左右における前後２本の下端部同士をそれぞれ前後方向に連結する２本の下部縦連結材と、
その４本の主柱材のうち左右における前後２本の高さ方向の中間部同士をそれぞれ前後方向に連結する中間部縦連結材と、
その４本の主柱材のうち前後における左右２本の上端部同士をそれぞれ左右方向に連結する２本の上部横連結材と、
前記２本の下部縦連結材と直交するように左右方向に掛け渡され、その下部縦連結材又は前記主柱材に固定される下部棚構成材と、
前記２本の中間部縦連結材と直交するように左右方向に掛け渡され、その中間部連結材又は前記主柱材に固定される中間部棚構成材と、
それら骨組材同士を連結及び固定するための締結具としての複数のボルト及びナットと、を含み、
少なくともそれら骨組材及び締結具が分解状態で包装容器に収納され、それら骨組材を組み立て締結具で固定することにより薪保持ラックが完成することを特徴とする薪ストーブ用の薪保持ラックのスケルトンキット。
【請求項２】
前記４本の主柱材で形成される直方体における、平面視で２つの長辺をなす各２本の主柱材の中間のそれぞれ前後に対応する位置に立設される中間柱材が追加され、さらにそれら中間柱材を高さ方向の下端部、中間部及び上端部でそれぞれ前後方向に連結する内側下部縦連結材、内側中間部縦連結材及び内側上部縦連結材が追加される請求項１に記載の薪ストーブ用の薪保持ラックのスケルトンキット。
【請求項３】
前記内側上部縦連結材は、前後の前記中間柱材を両側から挟むように前後方向に互いに平行に延びる一対の分割連結材であり、平面視でこの内側上部縦連結材を中間にして両サイドの前記上部縦連結材とで作る左右の四角形のそれぞれ対角線状にかつ左右全体で鈍角のＶ字状に延びる各水平面内分割補強材が付加され、それらの各水平面内分割補強材の一端部は、前記分割連結材の一方における前後方向の一端部に固定され、他端部は前記主柱材又は上部縦連結材に固定される請求項２に記載の薪ストーブ用の薪保持ラックのスケルトンキット。
【請求項４】
後方に配置される左右の主柱材及び中間柱材を含む垂直面内において、左右の主柱材の一方の上端部から前記中間柱材の高さ方向の中間部を連結する垂直面内分割補強材と、その中間柱材の高さ方向の中間部と左右の主柱材の他方の下端部を連結する別の垂直面内分割補強材とが付加され、それら垂直面内分割補強材が左右の主柱材の一方の上端部から前記中間柱材の高さ方向の中間部を経て左右の主柱材の他方の下端部まで対角線状に連なる請求項２又は３に記載の薪ストーブ用の薪保持ラックのスケルトンキット。
【請求項５】
４本の前記主柱材又はこれに前記中間柱材を加えたそれらの上端部上に支持される形態で設けられる屋根材を含み、後方に位置する前記主柱材又はさらに前記中間柱材を加えた各柱材の高さ寸法は、前方に位置する各柱材より、嵩上げ材を介して又は嵩上げ材を介することなく柱材自身の寸法として高く設定され、その結果、後方から前方に向かって斜めに下がる屋根勾配が付与され、またその屋根材は断面が波形状をなし、その波形に沿って丸めかつ引き延ばせる変形可能な樹脂製シートで構成され、丸められた状態の該屋根材が前記骨組材及び締結具と同じ又は別の包装容器に収納される請求項２ないし４のいずれか１項に記載の薪ストーブ用の薪保持ラックのスケルトンキット。
【考案の詳細な説明】
【技術分野】
【０００１】
本考案は、薪ストーブ用の薪をストックする薪保持ラックを組み立てるためのスケルトンキットに関する。
【背景技術】
【０００２】
今日、住居の暖房にはエアコンや電気・ガス又は石油を用いるストーブやファンヒーターが主流をなしているが、一部には薪ストーブもその自然な温かみから根強い人気がある。薪がめらめらと燃えるなかで暖を取る時間は、人間味にあふれた至福のときである。電気、ＩＨ、エアコン等の普及で実際に火が燃焼することを見たことがない世代が増え、火の尊さを忘れかけている状況において、薪ストーブの価値はますます高まっていると言っても良いであろう。
【先行技術文献】
【特許文献】
【０００３】
【特許文献１】特開２００９−１９７４７５号公報
【０００４】
薪ストーブは、当然のことながら薪を炉内にくべて燃焼させる。一冬で大量の薪を必要とするから、それをストックしておく場所が要る。特許文献１に記載の「家屋用収納構造」が提案され、そこでは、薪ストーブ又は暖炉のそばに上方の収納室と下方の収納室を設け、上方の収納室に外部から開けられる開閉扉を設けて、この上方の収納室に外から薪を持ち込み積んだ状態として、室内からその薪を取り、薪ストーブ等にくべることができるようにされている。
【考案の概要】
【考案が解決しようとする課題】
【０００５】
しかしながら、この薪の収納室では２、３日分の薪しか収納できず、屋外に何らかの薪置き場を作る必要がある。また、薪ストーブのそばに薪がストックされるため、防火上問題もある。さらに、屋外に例えば一冬分の薪をストックする薪置き設備を作ろうとすれば、その設計、資材入手、さらには工事まで、おおがかりな計画と費用と時間が必要となり、手軽に薪置き場を作ることはできない。
【０００６】
この考案は、簡単かつ安価に薪置き場を作ることができる薪保持ラックのスケルトンキットを提供するものである。
【課題を解決するための手段及び考案の効果】
【０００７】
この考案は、
薪ストーブ用の薪をストックする薪保持ラックを組み立てるためのスケルトンキットであって、
直方体のスケルトンを形成すべき個別の金属製の骨組材として、
その直方体の４角の柱となる４本の主柱材と、
その４本の主柱材のうち左右における前後２本の上端部同士をそれぞれ前後方向に連結する２本の上部縦連結材と、
その４本の主柱材のうち左右における前後２本の下端部同士をそれぞれ前後方向に連結する２本の下部縦連結材と、
その４本の主柱材のうち左右における前後２本の高さ方向の中間部同士をそれぞれ前後方向に連結する中間部縦連結材と、
その４本の主柱材のうち前後における左右２本の上端部同士をそれぞれ左右方向に連結する２本の上部横連結材と、
前記２本の下部縦連結材と直交するように左右方向に掛け渡され、その下部縦連結材又は前記主柱材に固定される下部棚構成材と、
前記２本の中間部縦連結材と直交するように左右方向に掛け渡され、その中間部連結材又は前記主柱材に固定される中間部棚構成材と、
それら骨組材同士を連結及び固定するための締結具としての複数のボルト及びナットと、を含み、
少なくともそれら骨組材及び締結具が分解状態で包装容器に収納され、それら骨組材を組み立て締結具で固定することにより薪保持ラックが完成することを特徴とする。
【０００８】
このようにすれば、このスケルトンキットを入手し、その直方体のスケルトンを形成すべき個別の金属製の骨組材として、主柱材、上部縦連結材、下部縦連結材、中間部縦連結材、上部横連結材、下部棚構成材、中間部棚構成材を、締結具としての複数のボルト及びナット等により組み立てれば容易に薪ストーブ用の薪保持ラックが完成する。そして、このような組立て式のスケルトンキットが分解状態で包装容器に収納されるため、所定の供給源から入手を希望する様々な場所へ輸送し供給することができ、入手した者はそれを包装容器から取り出し、上述のように組み立てればよいから、このような薪保持ラックが普及しやすい環境が生まれる。そうすれば、薪ストーブの導入も進み、より豊かな住環境を構築することができる。
【０００９】
また、前記４本の主柱材で形成される直方体における、平面視で２つの長辺をなす各２本の主柱材の中間に中間柱材が追加され、さらにそれら中間柱材を高さ方向の下端部、中間部及び上端部でそれぞれ前後方向に連結する内側下部縦連結材、内側中間部縦連結材及び内側上部縦連結材が追加される。
【００１０】
このようにすれば、中間柱材及び内側下部、内側中間部及び内側上部連結材により骨組の強度が高くなり、左右方向の寸法（間口）が比較的大きい場合でも薪の荷重に充分耐えられる。また、中間柱材が薪棚の一種の仕切りとなり高く積み上げた薪が崩れるのを防止する。
【００１１】
前記内側上部縦連結材は、前後の前記中間柱材を両側から挟むように前後方向に互いに平行に延びる一対の分割連結材であり、平面視でこの内側上部縦連結材を中間にして両サイドの前記上部縦連結材とで作る左右の四角形のそれぞれ対角線状にかつ左右全体で鈍角のＶ字状に延びる各水平面内分割補強材が付加され、それらの各水平面内分割補強材の一端部は、前記分割連結材の一方における前後方向の一端部に固定され、他端部は前記主柱材又は上部縦連結材に固定される。
【００１２】
このようにすれば、水平面内分割補強材が２分割されるから、左右の上部縦連結材同士を大きな対角線状に連結する一体のものに比べて、その長さを約２分の１に短縮することができ、包装容器にもコンパクトに収まり、ひいては包装容器自体を小さくすることができる。
【００１３】
後方に配置される左右の主柱材及び中間柱材を含む垂直面内において、左右の主柱材の一方の上端部から前記中間柱材の高さ方向の中間部を連結する垂直面内分割補強材と、その中間柱材の高さ方向の中間部と左右の主柱材の他方の下端部を連結する別の垂直面内分割補強材とが付加され、それら垂直面内分割補強材が左右の主柱材の一方の上端部から前記中間柱材の高さ方向の中間部を経て左右の主柱材の他方の下端部まで対角線状に連なる。
【００１４】
このようにすれば、各垂直面内分割補強材により垂直面内での変形荷重に対し強度が高まり、しかも分割された形態の垂直面内分割補強材が採用されることで、連続的な補強材とするよりもその長さを例えば２分の１程度にすることができるから、包装容器内にコンパクトに収まり、ひいては包装容器を小さくすることができる。
【００１５】
４本の前記主柱材又はこれに前記中間柱材を加えたそれらの上端部上に支持される形態で設けられる屋根材を含み、後方に位置する前記主柱材又はさらに前記中間柱材を加えた各柱材の高さ寸法は、前方に位置する各柱材より、嵩上げ材を介して又は嵩上げ材を介することなく柱材自身の寸法として高く設定され、その結果、後方から前方に向かって斜めに下がる屋根勾配が付与され、またその屋根材は断面が波形状をなし、その波形に沿って丸めかつ引き延ばせる変形可能な樹脂製シートで構成され、丸められた状態の該屋根材が前記骨組材及び締結具と同じ又は別の包装容器に収納される。
【００１６】
このようにすれば、雨や露によって薪が濡れることを屋根材が防ぎ、薪の乾燥状態を保持又は促進する上で有効となる。
【図面の簡単な説明】
【００１７】
【図１】本考案の一実施例であるスケルトンキットを組み立てて得られる薪保持ラック（シングルタイプ）を示す斜視図。
【図２】図１の屋根材を省略した斜視図。
【図２Ａ】図１の垂直面内分割補強材の連結部を示す平面図。
【図３】図１の右側面図。
【図４】図１の後方から見た斜視図。
【図５】図１の正面図。
【図６】図１の背面図。
【図７】図２の平面図。
【図８】図１の薪保持ラックを構成する骨組材である主柱材及び中間柱材の斜視図。
【図９】同じく下部棚構成材及び中間部棚構成材の斜視図。
【図１０】同じく左右の下部縦連結材、中間部縦連結材及び上部縦連結材並びに内側下部縦連結材、内側中間部縦連結材及び内側上部縦連結材の斜視図。
【図１１】同じく上部横連結材の斜視図。
【図１２】同じく縦中間材の斜視図。
【図１３】同じく垂直面内分割補強材の斜視図。
【図１４】嵩上げ材、補強斜材及び水平面内分割補強材の斜視図。
【図１５】屋根材の斜視図。
【図１６Ａ】図８〜図１５の骨組材等を包装容器である包装箱（段ボール箱等）に収納する状態を示す説明図。
【図１６Ｂ】その箱の模式的な断面図。
【図１７】本考案の別の実施例であるスケルトンキットから組み立てた薪保持ラック（ダブルタイプ）の図１に対応する斜視図。
【図１８】同じくそのダブルタイプの薪保持ラックの図２に対応する斜視図。
【図１９】図１７の右側面図。
【図２０】図１７の後方から見た斜視図。
【図２１】図１７の正面図。
【図２２】図１７の背面図。
【図２３】図１８の平面図。
【図２４】図１７の薪保持ラックを構成する骨組材である主柱材及び中間柱材の斜視図。
【図２５】同じく屋根支持横材、下部棚構成材及び中間部棚構成材の斜視図。
【図２６】同じく左右の下部縦連結材、中間部縦連結材及び上部縦連結材並びに内側下部縦連結材、内側中間部縦連結材及び内側上部縦連結材の斜視図。
【図２７】同じく上部横連結材の斜視図。
【図２８】同じく縦中間材の斜視図。
【図２９】同じく垂直面内分割補強材の斜視図。
【図３０】嵩上げ材、補強斜材及び水平面内分割補強材の斜視図。
【図３１】屋根材の斜視図。
【図３２】屋根支持部材を支持する高さ調節ボルトの汎用的な（共通部品としての）機能を示す説明図。
【考案を実施するための形態】
【００１８】
以下、この考案の実施例を図面に基づいて説明する。
図１は、本考案のスケルトンキットを組み立てることによって得られる薪ストーブ用の薪保持ラック１を示し、図２は屋根材を省略した薪保持ラックを示している。図１、図２に示すように、この薪保持ラック１は、直方体のスケルトンを形成すべく個別の金属製の骨組材として、その直方体の４隅の柱となる４本の主柱材（例えば角パイプ材）２と、その４本の主柱材２のうち左右における前後２本の上端部同士をそれぞれ前後方向に連結する２本の上部縦連結材（例えばアングル材）３と、その４本の主柱材２のうち左右における前後２本の下端部同士をそれぞれ前後方向に連結する２本の下部縦連結材（例えばアングル材）４と、その４本の主柱材２のうち左右における前後２本の高さ方向の中間部同士をそれぞれ前後方向に連結する２本の中間部縦連結材（例えばアングル材）５と、その４本の主柱材２で形成される直方体における、平面視で２つの長辺をなす各２本の主柱材２，２の中間のそれぞれ前後に対応する位置に立設される中間柱材（例えば角パイプ材）６と、これら中間柱材６を高さ方向の下端部、中間部及び上端部でそれぞれ前後方向に連結する内側下部縦連結材８、内側中間部縦連結材９及び内側上部縦連結材７（いずれも例えばアングル材）と、４本の主柱材２及び２本の中間柱材６のうち、前側の左右２本の主柱材２及び中間柱材６の上端部同士を左右方向に連結する上部横連結材１１と、後ろ側における２本の主柱材２及び中間柱材６の上端部同士をそれぞれ嵩上げ材２０を介して左右方向に連結する上部横連結材１２と、左右の下部縦連結材４，４及び中間縦連結材８と直交するように左右方向に掛け渡され、その下部縦連結材４，４及び中間縦連結材８に固定される２本の下部棚構成材（例えば角パイプ材）１３と、２本の中間部縦連結材５，５及び内側中間部縦連結材９と直交するように左右方向に掛け渡され、その中間部縦連結材５，５及び内側中間部縦連結材９に固定される２本の中間部棚構成材１４と、４本の主柱材２及び２本の中間柱材６の上端部上に支持される形態で設けられる屋根材２１と、上述の骨組材同士を連結及び固定するための締結具としての複数のボルト及びナットと、を含んでいる。
【００１９】
さらに、上面部分には２本の水平面内分割補強材（例えばアングル材）１６，１６を備え、これらが左右全体で鈍角のＶ字状を形成する。また、後方に配置される左右の主柱材２，２及び中間柱材６を含む垂直面内において、分割された２本の垂直面内分割補強材１７，１７が付加されている。また、両サイドの側面において中間部縦連結材５より下の四角形空間を互いに逆向きの対角線状に連結する補強斜材１８，１８と、両サイドの前後の主柱材２，２の間において上下方向に伸びる縦中間材（例えば細い角パイプ材又はアングル材）１９，１９をさらに備える。
【００２０】
４本の主柱材２及び２本の中間柱材６はいずれも垂直に立てられ、左右の下部縦連結材４，４、中間部縦連結材５，５及び上部縦連結材３，３は、左右の各２本の主柱材２に図示しないボルト及びナットで固定され（以下、ボルト締めとも言う）、また、中間の内側下部縦連結材８、内側中間部縦連結材９及び内側上部縦連結材７は中間の前後の２本の中間柱材６に対しボルト締めされる。上部横連結材１１は、前側の左右の主柱材２及び中間柱材６に対しボルト締めされ、後方の上部横連結材１２は左右の主柱材２並びに中間柱材６の一部をなす各嵩上げ材２０にボルト締めされる。各嵩上げ材２０は左右の主柱材２及び中間柱材６の本体部分にボルト締めされる。このような嵩上げ材２０が用いられるのは、屋根材２１の屋根勾配を付けるためである。互いに平行な２本ずつの下部棚構成材１３は前後の主柱材２及び中間柱材６の内側において、左右の下部縦連結材４及び内側下部縦連結材８に、また、中間部棚構成材１４は、左右の中間部縦連結材５及び内側中間部縦連結材９に対しそれぞれボルト締めされる。なお、ボルト締め部分におけるボルトの符号及び図示については、すべて厳密に行うと図面の理解がかえって阻害されるおそれがあるため、図１において主要な部分にのみ「Ｂ」の符号を付してボルト・ナット又はボルト・雌ねじ孔によるボルト締め箇所を示し、図２以降については、「Ｂ」の符号を省略するが、ボルト孔を表示した所定位置においてボルト締めが行われるものとする。
【００２１】
図２、図７にも示すように、内側上部縦連結材７は、中間柱材６を両側から挟むように前後方向に互いに平行に延びる一対の分割連結材７ａ，７ａ（例えばアングル材）で構成されて、それらが中間柱材６にボルト締めされ、前述の一方の水平面内分割補強材１６の一端部はその分割連結材７ａの一方の前端部に固定され、他端部は一方の上部縦連結材３にボルト締めされる。なお、上部縦連結材３の代わりに、主柱材２に対し水平面内分割補強材１６の他端部がボルト締めされてもよい。他方の水平面内分割補強材１６は、分割縦連結材７ａの他方の前端部にボルト締めされ、その他端部は他方の上部縦連結材３の後端部にボルト締めされる。このように２分割形態で水平面内分割補強材１６とするのは、その全長をできるだけ短くするためである。
【００２２】
また、後方の垂直面内において一方の垂直面内分割補強材１７の一端部は右側後方の主柱材２の上端部にボルト締めされ、その他端部は後方の中間柱材６の高さ方向の中間部にボルト締めされる。他方の垂直面内分割補強材１７の一端部は後方左側の主柱材２の下端部にボルト締めされ、その他端部は後方の中間柱材６にボルト締めされる。ここで、双方の垂直面内分割補強材１７は中間柱材６の中間部において共締め状態でボルト締めされる。図２Ａは、垂直面内分割補強材１７，１７の連結部を示す平面図であり、垂直面内分割補強材１７，１７のアングル材同士が一定長さ重なるようにし、その状態で中間柱材６にボルト２５及びナット２６で固定したブラケット２４を介して、ボルト２７及びナット２８で共締めすることにより中間柱材６に固定される。このように２分割の垂直面内分割補強材１７とするのは、その全長をできるだけ短くして一定の包装容器に収まるように収納するためである。
【００２３】
図１等において、右側の補強斜材１８の下端部は後方の主柱材２の下端部にボルト締めされ、その上端部は前方の主柱材２の中間部にボルト締めされる。左側の補強斜材１８の下端部は前側の主柱材２の下端部にボルト締めされ、その上端部は後方の主柱材２の中間部にボルト締めされる。また、左右の縦中間材１９は、左右の下部縦連結材４、中間部縦連結材５及び上部縦連結材３にそれぞれボルト締めされる。
【００２４】
屋根材２１は、４本の主柱材２及び中間柱材６の上端部上に支持される形態で設けられる。そして、後方に位置する主柱材２及び中間柱材６の高さ寸法は嵩上げ材２０を介して前側の左右の主柱材２及び中間柱材６の高さ寸法より高く設定される。そして、この屋根材２１が上部横連結材１２及び上部横連結材１１に対しビス等で固定されることにより、後方から前方に向かって斜めに下がる屋根勾配が付与される。
【００２５】
屋根材２１は断面が波形状をなし、その波形に沿って丸め、かつ引き延ばせる変形可能な樹脂製シートで構成され、丸めた状態の屋根材２１が、上述の骨組材及びボルト・ナット等の締結具と同じ又は別の包装容器に収納されるが、組み立てる状態では、図１に示すように、引き延ばされ平面的かつ所定の屋根勾配で設置される。
【００２６】
図３及び図５に示すように、ストックされる薪Ｗは下側においては前後の下部棚構成材１３の間に跨って支持され、その上にさらに積み上げられていく。中間部においては、前後の中間部棚構成材１４に跨って薪Ｗが支持され、その上にさらに積み上げられていく。したがってこのタイプでは、前後方向の奥行きが薪１本分の長さに対応するものとされる（シングルタイプ）。そして、以上のような骨組材及びボルト・ナット等は包装容器としての、例えばダンボール箱等に収納され、流通に供される。
【００２７】
骨組材の分解状態を示せば、例えば図８に示す骨組材たる４本の主柱材２及び２本の中間柱材６、図９に示す２本ずつの下部棚構成材１３、中間部棚構成材１４、図１０に示す下部縦連結材４、中間部縦連結材５、上部縦連結材３並びに内側下部縦連結材８、内側中間部縦連結材９、内側上部縦連結材７（７ａ，７ａ）、図１１に示す上部横連結材１１，１２、図１２に示す縦中間材１９，１９、図１３に示す垂直面内分割補強材１７，１７、図１４に示す水平面内分割補強材１６，１６、補強斜材１８，１８、嵩上げ材２０、図１５に示す屋根材２１が、図１６Ａに示すように、包装容器としての例えば段ボール箱３０に、ボルト・ナット等の締結具（図示しない）とともに収納される。ここで、図１６Ｂの左部分に示すように、骨組材、締結具及び屋根材を１つの梱包にすることもできるし、図１６Ｂの右部分に示すように、骨組材と締結具を１つの梱包（１つの段ボール箱）３０Ａ、屋根材を別の梱包（別の段ボール箱）３０Ｂとすることもできる。
【００２８】
図１７は、薪保持ラックの別の実施例のスケルトンを組み立てた状態の図１に対応する図であり、この実施例では前後に並列的に２列薪をストックすることができる。図１との違いは、前後方向の寸法が約２倍あることにより、下部棚構成材１３が４本（図１のものでは２本）、中間部棚構成材１４が４本（図１のものでは２本）を含み、縦中間材１９が左右２本ずつ都合４本（図１のものでは左右に１本ずつ都合２本）等であり、４本の主柱材２及び２本の中間柱材６は図１のタイプと同じである。ただし、左右の下部縦連結材４、中間部縦連結材５及び上部縦連結材３、並びに内側下部縦連結材８、内側中間部縦連結材９及び内側上部縦連結材７が、図１のタイプに比べて約２倍の長さを有し、これらに掛け渡されるように下部棚構成材１３及び中間部棚構成材１４が前後方向に均等の間隔でそれらにボルト締めされている。屋根材２１も図１のシングルタイプより奥行きが２倍程度ある。
【００２９】
一番前及び一番後ろの下部棚構成材１３及び中間部棚構成材１４は、主柱材２及び中間柱材６から一定距離内側に入ったところに配置され、前側の２本の下部棚構成材１３及び中間部棚構成材１４に沿って薪が横方向に一列に並ぶように積み上げられ、また、後方の２本の下部棚構成材１３及び中間部棚構成材１４にも左右方向に薪が並べられ、その上に積み上げられる。結局、前側と後ろ側で１列ずつ都合２列の薪の積み上げが可能であり、図１７に示す薪保持ラック１’（ダブルタイプ）は、図１の薪保持ラック１（シングルタイプ）に比べて約２倍の薪をストックすることができる。その他の部分は図１のものと同様であるため、関係を明確にするために、長さ等は変わっても同一の符号を付し、対応関係を示した。説明としては重複するので、図１の薪保持ラック１の説明を流用して重複した説明は割愛する。
【００３０】
なお、図１７において、屋根材２１が上部横連結材１２及び上部横連結材１１、さらに屋根支持横材２２に対しビス等で固定されることにより、後方から前方に向かって斜めに下がる勾配が付与される。屋根支持横材２２は左右方向に掛け渡され、左右の上部縦連結材３及び内側上部縦連結材７に高さ調節ボルト２３を介して高さ位置が調整された状態で固定される。上部横連結材１１，１２及び屋根支持横材２２は同一平面内に位置するように設定され、これらの上に屋根材２１が置かれ、ビスその他のネジ部材により固定される。
【００３１】
そして、図１７の薪保持ラック１’（ダブルタイプ）を構成する骨組材や締結具等の分解状態を示せば、図２４に示す主柱材２及び中間柱材６、図２５に示す下部棚構成材１３及び中間部棚構成材１４、屋根支持横材２２、図２６に示す左右の下部縦連結材４、中間部縦連結材５及び上部縦連結材３、内側下部縦連結材８、内側中間部縦連結材９、内側上部縦連結材７（７ａ，７ａ）、図２７に示す上部横連結材１１及び１２、図２８に示す縦中間材１９、図２９に示す垂直面内分割補強材１７，１７、図３０に示す水平面内分割補強材１６，１６、補強斜材１８、嵩上げ材２０、図３１に示す屋根材２１を、包装容器としての、例えば段ボール箱に、前述の図１６Ａ又は図１６Ｂに示すように締結具としてのボルト・ナットとともに収納し、薪保持ラックを組み立てるためのスケルトンキットとして市場に提供することができる。
【００３２】
なお、図１７に示すダブルタイプの薪保持ラック用のスケルトンキットは、図１のものに比べて骨組材の本数が増え、また、一部でその長さが長くなるが、主柱材２や中間柱材６の長さ以上になる骨組材はないから、例えば図１６Ａ又は図１６Ｂの箱の長さは変わらず、その断面がやや大きくなる。
【００３３】
以上の説明では図１及び図１７等においていずれも屋根材２１を付加した薪保持ラック用のスケルトンキットを示したが、屋根材２１を省略したスケルトンキットとすることもできる。この場合は例えば所定の建物内あるいは屋根付きの場所にこのスケルトンキットから薪保持ラックを組み立ててそこに置けばよい。
【００３４】
また、図１及び図１７とも、いわゆる薪棚は上下２段とされていたが、これを３段もしくはそれ以上の段数とすることもできる。また、間口が大きくなる場合は、中間柱材をさらに増やして、正面視で左右に主柱材２が、中間部に例えば２本もしくはそれ以上の中間柱材６が位置するように構成したスケルトンキットとしてもよい。逆に、間口が小さい場合は、中間柱材を省略することもできる。
【００３５】
なお、図１７、１８における屋根支持横材２２の高さを調節する高さ調節ボルト２３は、図３２に示すように、頭なしボルト（寸切ボルト）と固定ナット２３ａ、２３ｂとの組合せとし、上部縦連結材３と屋根支持横材２２との間隔に応じて固定ナット２３ａ、２３ｂの各セットの締付け固定位置を変更することにより、図１７、１８のタイプにおいて適宜ボルト孔が例えばＡ〜Ｄの位置に設けられているとすれば、Ａ〜Ｄのいずれの位置でも、屋根支持横材２２ひいては屋根材２１を汎用的に支持することができる。また、図１、図２のタイプで屋根材２１の支持のために屋根支持横材を付加する場合、適宜複数のボルト孔が上部縦連結材に用意されていれば、例えば図３２のＥ，Ｆ，Ｇのいずれの位置でも、高さ調節ボルト２３に対するナット２３ａ、２３ｂの締付位置で調節して汎用的に用いることができる。こうすれば高さ調節ボルト２３を、図１７、１８のタイプにも、図１、２のタイプにもいずれにも兼用でき、共用部品とすることができる。
【符号の説明】
【００３６】
２    主柱材
３    上部縦連結材
４    下部縦連結材
５    中間部縦連結材
６    中間柱材
７    内側上部縦連結材（分割連結材７ａ，７ａ）
８    内側下部縦連結材
９    内側中間部縦連結材
１１，１２    上部横連結材
１３    下部棚構成材
１４    中間部棚構成材
１６    水平面内分割補強材
１７    垂直面内分割補強材
２０    嵩上げ材
２１    屋根材
【図２Ａ】
0003163607.tif 000003
【図３】
0003163607.tif 000004
【図４】
0003163607.tif 000005
【図５】
0003163607.tif 000006
【図６】
0003163607.tif 000007
【図７】
0003163607.tif 000008
【図１６Ａ】
0003163607.tif 000009
【図１６Ｂ】
0003163607.tif 000010
【図１９】
0003163607.tif 000011
【図２０】
0003163607.tif 000012
【図２１】
0003163607.tif 000013
【図２２】
0003163607.tif 000014
【図２３】
0003163607.tif 000015
【図３２】
0003163607.tif 000016
【図１】
0003163607.tif 000017
【図２】
0003163607.tif 000018
【図８】
0003163607.tif 000019
【図９】
0003163607.tif 000020
【図１０】
0003163607.tif 000021
【図１１】
0003163607.tif 000022
【図１２】
0003163607.tif 000023
【図１３】
0003163607.tif 000024
【図１４】
0003163607.tif 000025
【図１５】
0003163607.tif 000026
【図１７】
0003163607.tif 000027
【図１８】
0003163607.tif 000028
【図２４】
0003163607.tif 000029
【図２５】
0003163607.tif 000030
【図２６】
0003163607.tif 000031
【図２７】
0003163607.tif 000032
【図２８】
0003163607.tif 000033
【図２９】
0003163607.tif 000034
【図３０】
0003163607.tif 000035
【図３１】
0003163607.tif 000036